Podtech/llm-jp-corpus-v4-ja_patent huggingface dataset:
(57)【要約】      （修正有）【課題】使用済テープの切り取り作業を、容易かつ確実に行なうことができる、テープ回転式掃除機を提供する。【解決手段】テープ切断のための補助具として、糸５と当て金４を使用する。まず糸５は、テープ２を切り換える際、切り取る度に新しい側のテープ２の切り口に近い位置で、その切り口に沿って敷き込む。この糸５のー方は押さえ具６によつてテープ受台の筒の中に収める。他のー方はテープ２の差し込み元に設けてある回転自在のコマ及びテープ芯又はテープ受台に取り付けてテープ２の回転に同調させると共に、この糸５は繰り返し使える構造にしてある。次に当て金４はアーム１に設けた板バネ３の先端にテープ２と平行に取り付ける。【選択図】図３
0003145731.tif 000002
【実用新案登録請求の範囲】
【請求項１】
テープの交換に際、残る側、即ち、新しいテープ（２）に対して、そのテープ（２〕の切り口に近い位置で、その切り口に沿って糸（５）を敷きこむ、尚、この糸（５）のー方はテープ（２）の回転体の端に脱着できるようにする、他のー方の糸（５）はテープ（２）の回転に同調する構造で取り付けてテープ（２）と糸（５）をー体化して回転させる。
【請求項２】
アーム（１）に板バネ（３）を取り付け、その板バネ（３）の先端に当て金（４）をテープ（２）と平行になる様に取り付ける。
【考案の詳細な説明】
【技術分野】
【０００１】この考案はテープ回転式掃除機を使用した後の使用済テープ（８）の切り口を剥ぐ時と、それに次ぐ切り取りの作業を容易かつ確実に行なうためのものである。
【背景技術】
【０００２】使用後の粘着性のテープ（２）の表面には普通のほこり以外に糸くず、髪の毛、ペットの毛等、長尺のゴミが付着したり、巻きついたりしています。
これ等が使用済テープ（８）を切り取る際に障害になつて切り口を塞ぐ事でテープ（２）の剥ぎ起こしや切り取りの作業に手間と時間がかかる。
【考案の開示】
【考案が解決しょうとする課題】
【０００３】使用済テープ（８）の剥ぎ起こしと、それに次ぐ切り取り作業の障害となる糸くず、髪の毛、ペットの毛等を糸（５）と当て金（４）を使つて強制的に取り除く。
【課題を解決するための手段】
【０００４】本案の主体は補助具として糸（５）と当て金（４）を使うものである、まず糸（５）はテープ（２）を切り換える際、切り取る度に新しい側のテープ（２）の切り口に近い位置で、その切り口に沿って敷き込む、尚この糸（５）のー方は押さえ具（６）によつてテープ受台（１０）の筒の中に収める、他のー方はテープ（２）の差し込み元に設けてある回転自在のコマ（７）及びテープ芯（９）又はテープ受台（１０）に取り付けてテープ（２）の回転に同調させると共に、この糸（５）は繰り返し使える構造にしてある。
次に当て金（４）はアーム（１）に設けた板バネ（３）の先端にテープ（２）と平行に取り付ける、以上の構造から成るのでテープ（２）の切り換えの時、切り口の剥ぎ起こしを妨害する糸くず、髪の毛、ペットの毛等をこの糸（５）で強制的に取り除く、又この時切り口にめくれが出来るのでここを摘むことで剥ぎ起こしが容易になる、これによって新旧の切り換え位置まで剥ぎ起こして、切り取る前に糸（５）を敷き込むみ、この糸（５）が残る位置に当て金（４）を当てて切り取る、これでテープ（２）が新しくなつたので再び掃除に使える様になる。
【考案の効果】
【０００５】テープ（２）の新旧の切り替えの際、糸（５）と当て金（４）を補助具として使うことで次の様な効果がある。
テープ（２）をフリーハンドで切ると、切り口にジグザグ面ができるので、この面を剥ぎ起こす時、縦に裂ける要因となので、切り口の剥ぎ起こしに手間がかかる、そこで当て金（４）を使つて直線状に切ることで縦に裂ける要因となるジグザグ面ができなくなるので、切り口の剥ぎ起こしが容易になるその上、糸（５）をテープ（２）の下に直線に敷き込んであるので、その糸（５）に沿って切るためにも当て金（４）が必要である。
又、糸（２）は予めテープ（２）の新しい側の切り口に近い位置に敷き込んであるのでテープ（２）の剥ぎ起こしの障害となる糸くず、髪の毛、ペットの毛等を、この糸（５）を抜き剥がすことで強制的に取り除くと同時に切り口にめくれができるので、ここをつまむことで、テ−プ（２）の剥ぎ取りが容易になり新旧のテープの切り替えが手軽に行なえる。
【実施例１】
【０００６】（イ）掃除中テープ（２）の粘着力が低下して集塵効果がなくなつたら切り替え時期と判断して、まず押さえ具（６）を外してテープ受台（１０）の筒内に収めてある糸（５）を取り出してテープ（２）の切り口に這わせる様にして引き抜く、そしてこの糸（５）の取り付け元はコロ（７）、テープ芯（９）、テープ受台（１０）の何れかに取り付けてテープ（２）の回転に同調させ、且つ糸（５）を繰り返し使うことを目的とした構造である。
（ロ）引き抜かれた糸（５）は掃除中テープ（２）の切り口に張りついたり巻き付いたりしている糸くず、髪の毛、ペットの毛等を、糸（５）に引つ掛けて強制的に取り除くと同時に切り口にめくれができるので、この部をつまんでテープ（２）の新旧の切り取り位置まで剥ぎ起こす。
（ハ）剥ぎ起こしたテープ（２）を切り取る前に糸（５）を敷き込んで、この糸（５）が残る位置に当て金（４）を当てて使用済テープ（８）を切り取り新しいテープにかえる、これで掃除機として再び使用できる。
尚、掃除中テープ（２）の交換時期がきたら作業工程（イ）に戻る。
【図面の簡単な説明】
【０００７】
【図１】テープ（２）の切り口を糸（５）で剥ぎ起こす斜視図。
【図２】テープ（２）の切り口に糸（５）を敷き込む斜視図。
【図３】当て金（４）でテープ（２）を切り取る斜視図。
【図４】糸（５）の取り付けの実用例。
【符号の説明】
【０００８】１アーム  ２テープ  ３板バネ  ４当て金  ５糸  ６押さえ具  ７コマ  ８使用済テープ  ９テープ芯  １０テープ受台
【図１】
0003145731.tif 000003
【図２】
0003145731.tif 000004
【図３】
0003145731.tif 000005
【図４】
0003145731.tif 000006
【手続補正書】
【提出日】平成20年7月10日(2008.7.10)
【手続補正１】
【補正対象書類名】実用新案登録請求の範囲
【補正対象項目名】全文
【補正方法】変更
【補正の内容】
【実用新案登録請求の範囲】
【請求項１】
テープ（２）の回転軸部分にあたるアーム（１）に、糸（５）を取り付けた回転するコマ（７）を装着する、この糸（５）の先端はテープ受台（１０）の筒内に押さえ具（６）によつて挟み込んで収納して成る、テープ（２）の切り換えに糸（５）と当て金（４）を使うことを特徴としたテープ切り替え具付きテープ回転式掃除機。
【請求項２】
Ｕ字形の板バネ（３）で、その一方の端をアーム（１）に接着する、他の一方の端には当て金（４）をＴ形状に接着して成る、テープ（２）の切り換えに糸（５）と当て金（４）を使うことを特徴としたテープ切り替え具付きテープ回転式掃除機。
(57)【要約】【課題】ルアーロッドのグリップエンドのキズや土、ゴミ等の進入または、衝撃を防ぐ事ができさらに、グリップの滑り止めにもなるルアーロッド専用グリップエンドゴムキャップを提供する。【解決手段】ゴム製のグリップエンドゴムキャップ１のはめ込み穴の径は、釣竿のグリップ２の径より小さくしているので釣竿のグリップ２にぴったりとはまり、土やゴミ等の進入を防ぎ、滑りにくく外れにくい。【選択図】図１
0003145755.tif 000002
【実用新案登録請求の範囲】
【請求項１】
円筒形でゴム製のグリップエンドゴムキャップ１を釣竿のグリップ２のグリップエンドにはめ込みキズや土等の進入または衝撃を防ぎ、滑り止めにもなるルアーロッド専用グリップエンドゴムキャップ。
【考案の詳細な説明】
【技術分野】
【０００１】本考案は、ルアーロッドのグリップエンドにはめ込むゴム製のキャップであり、主にルアーフィッシングの釣り人を対象とし、大切な釣竿をキズや衝撃から守り、さらにグリップを握ったときの滑り止めにもなるゴムキャップに関するものである。
【背景技術】
【０００２】従来のものは見受けられないが、もともとロッドのグリップエンド部がクッションになっているものであったが、衝撃は防げてもキズや土、ゴミ等の入り込みは防げなかった。
【考案の開示】
【考案が解決しようとする課題】
【０００３】本考案は、その欠点を除く為になされたもので、図１について説明すれば、釣竿のグリップ２のグリップエンドに本考案のグリップエンドゴムキャップをはめ込み、釣竿のグリップ２のグリップエンドをカバーする形にしている。
【課題を解決するための手段】
【０００４】本考案は、このように釣竿のグリップ２のグリップエンドにグリップエンドゴムキャップ１をはめ込む事により、使用時の竿のグリップエンドに土やゴミ等の進入やキズ及び、衝撃を防ぎまたグリップの滑り止めにもなる。
【考案の効果】
【０００５】グリップエンドをカバーする事により、使用時の竿のキズや破損も少なくなりまた、グリップが握りやすく滑らないので竿を振りやすくなった。さらに、使用後の手入れも容易になった。
【考案を実施するための最良の形態】
【実施例】
【０００６】本考案の実施の形態を図面に基づいて説明する。
図１は、本考案の全体斜視図であり、釣竿のグリップ２のグリップエンドに本考案のグリップエンドゴムキャップ１をはめ込み、釣竿のグリップ２のグリップエンドをカバーする。【０００７】図２は、本考案のグリップエンドゴムキャップ１の平面図であり、上面形状３には、はめ込み穴が開いているが判り、正面形状４の点線部が空洞で点線部の底部までグリップエンドが入り、クッション性を高める為にクッション部６を円弧に膨らませた。
底面形状５から見ると底面はフラットで穴が開いていないことが判る。
【図面の簡単な説明】
【図１】  本考案の全体斜視図
【図２】  本考案の平面図
【符号の説明】
１    グリップエンドゴムキャップ
２    釣竿のグリップ
３    上面形状
４    正面形状
５    底面形状
６    クッション部
【図１】
0003145755.tif 000003
【図２】
0003145755.tif 000004
(57)【要約】【課題】ルアーロッドの穂先のトップガイドの保護と、人や物に接触しても怪我やキズを防ぐ事ができ、さらに穂先での糸止めにも利用できる、ルアーロッド専用トップガイドキャップを提供する。【解決手段】スポンジゴム製のトップガイドキャップ１のはめ込み穴の径は、釣竿の穂先２のトップガイドの径より小さくしているので、トップガイドにしっかりとはまり外れにくく、人や物に接触しても安心である。【選択図】図１
0003145756.tif 000002
【実用新案登録請求の範囲】
【請求項１】
円筒形でスポンジゴム製のトップガイドキャップ１を釣竿の穂先２のトップガイドにはめ込み、トップガイドの保護は勿論、人や物に接触してもキズを付けないためのルアーロッド専用トップガイドキャップ。
【考案の詳細な説明】
【技術分野】
【０００１】本考案は、ルアーロッドのトップガイドにはめ込むスポンジゴム製のキャップであり、主にルアーフィッシングの釣り人を対象とし、大切な釣竿をキズや衝撃から守り、さらに人や物を傷つけないトップガイドキャップに関するものである。
【背景技術】
【０００２】従来のものは見受けられないが、振り出し竿に使われているガイドをまとめてカバーするというものはあるが、ルアーロッドは１ピースや２ピースのものがほとんどで、竿を長いままで持ち歩かなければならず、人や物に接触してキズを付けたりすることも少なくなかった。
【考案の開示】
【考案が解決しようとする課題】
【０００３】本考案は、その欠点を除く為になされたもので、図１について説明すれば、釣竿の穂先２のトップガイドに本考案のトップガイドキャップ１をはめ込み、釣竿の穂先２のトップガイドをカバーする。
【課題を解決するための手段】
【０００４】本考案は、このように釣竿の穂先２のトップガイドにトップガイドキャップ１をはめ込むことにより、釣竿の使用前後の運搬及び、移動時の人や物への穂先の接触があっても、キズをつけたりせずまた、トップガイド自体の保護も出来る。
【考案の効果】
【０００５】トップガイドをカバーすることにより運搬時や移動時に、竿の穂先が人や物に接触しても怪我をさせたりキズをつけることが無くなった。
また、移動時の糸止めとしても使用できる。
【考案を実施するための最良の形態】
【実施例】
【０００６】本考案の実施の形態を図面に基づいて説明する。
図１は、本考案の全体斜視図であり、釣竿の穂先２のトップガイドに本考案のトップガイドキャップ１をはめ込み、釣竿の穂先２のトップガイドをカバーする。【０００７】図２は、本考案のトップガイドキャップ１の平面図であり、底面形状５にははめ込み穴が開いているのが判り、正面形状４の点線部の上部までトップガイドが入る。
上面形状３から見ると上面はフラットで穴が開いてない事が判る。
【図面の簡単な説明】
【図１】  本考案の全体斜視図
【図２】  本考案の平面図
【符号の説明】
１    トップガイドキャップ
２    釣竿の穂先
３    上面形状
４    正面形状
５    底面形状
【図１】
0003145756.tif 000003
【図２】
0003145756.tif 000004
(57)【要約】      （修正有）【課題】特段の意識をせずにグラスを携行することができるように工夫し、また特別な注意を払わなくてもグラスの飲み物がこぼれないようにするグラスホルダーを提供する。【解決手段】グラスの３分の２以上がすっぽり入るグラスよりひとまわり大きなホルダーをステンレス線等線状の金属を用いて、或いはペットボトルの材質やプラスチック成形等により一体に形成し、そのホルダーに紐を付けて首から吊り下げられるようにすると、飲み物を飲んだらいつでもまたすぐにホルダーに戻すことができ、常にグラス等を携行することができる。ホルダーはグラスや飲み物の重さによって常に垂れ下がるので、中の飲み物はホルダーに不規則な方向に直接に衝撃を与えなければこぼれないが、胸にポンと当たった時の衝撃でこぼれることがあるので胸に当たる側面のホルダーのグラスの縁の部分にプラスチック等で覆いをした。【選択図】図１
0003145750.tif 000002
【実用新案登録請求の範囲】
【請求項１】
コップやグラスや缶入り飲料（以降、総称してグラスという）の下から３分の２以上がすっぽり入るグラスよりひとまわり大きなホルダーをステンレス線等線状の金属を用いて、或いはペットボトルの材質やプラスチック成形等により一体に形成し、そのホルダーに紐を付けて首から吊り下げられる形状を特徴とするグラスホルダー。
【請求項２】
重力によってグラスとその中の飲み物が下方に落ち着いているので、体が少々動いてもグラスの中の飲み物がこぼれることはないが、胸にポンとあたった衝撃で液体が胸に向かって飛散するので、胸元が濡れないようにホルダーの胸にあたる側面のグラスの縁に覆いをつけたことを特徴とする請求項１記載のグラスホルダー。
【請求項３】
ホルダーの円周部分を下方より上方を広くすることによってグラスホルダーを重ねられるようにした形状を特徴とする請求項１記載のグラスホルダー。
【考案の詳細な説明】
【技術分野】
【０００１】  本考案は、例えば立食パーティーやバーベキュー等において、コップやグラスや缶入り飲料（以降、総称してグラスという）を首から吊り下げられるようにしたグラスホルダーに関するものである。
【背景技術】
【０００２】  立食パーティーやバーベキューなど会食や人々が交流する場面でグラスを常に手に持つかテーブルに置くことになり、グラスの置き場所や入っている飲み物がこぼれないように意識しなければならず、不便さを感じるものであった。【０００３】  自分の使用したグラスをテーブルの上に置くと、他人のものと間違えることもあり衛生的にも問題があった。【０００４】  このような問題を解消するために以前になされたものとして、特許文献１は、「コップホルダー」と称せられる考案である。その構成は、図５の食器皿１２の外周縁部の一部を挟持する把持部２を有し、該把持部２と一体的にコップ１３を挿入保持するリング形状に形成されている。【０００５】  ところが、このような立食用トレイホルダーにおいては、食器皿の周囲に余計な付属物である突起とそれに伴う重さが生じるので片手では持ちにくくグラスに入ったお酒をこぼすことがあり、不安定で使用にはふさわしくないものであった。
【特許文献１】登録実用新案第３１０３８８６号
【考案の開示】
【考案が解決しようとする課題】
【０００６】  特段の意識をせずにグラスを携行することができるように工夫し、また特別な注意を払わなくてもグラスの飲み物がこぼれないようにしたい。
【課題を解決するための手段】
【０００７】  グラスを手に持っていると、食事をするためのお皿とフォークや箸が同時に持てないので、手をふさがずにグラスを携行できるように考案した。グラスを挿入できるホルダーを常に首から吊り下げることで、いつでも飲み物を飲むことができ、ホルダーにグラスを入れれば常に携行することができる。移動してもグラスを忘れることがなく、また他人のグラスと間違えることもない。【０００８】  ホルダーはグラスや飲み物の重さによって常に垂れ下がるので、中の飲み物はホルダーに不規則な方向に直接的な衝撃を与えなければこぼれることはほとんどないが、胸にポンと当たった時の衝撃でこぼれることがあるので胸に当たる側面のグラスの縁に覆いにした。【０００９】  首から吊り下げたホルダーの位置は、みぞおちの５ｃｍ上からへその位置までの間になるように身長や体格に合わせてヒモの長さを調整できるようにした。
【図面の簡単な説明】
【００１０】
【図１】  グラスホルダーを示した斜視図である。
【図２】  グラスホルダーを示した平面図である。
【図３】  グラスホルダーを示した断面図である。
【図４】  線状の金属で制作したグラスホルダーを示した斜視図である。
【図５】  従来技術に係る特許文献１のコップホルダーの斜視図である。
【符号の説明】
【００１１】  １  グラスホルダー
２  紐
３  紐の留め金
４  紐長さの調整具
【図１】
0003145750.tif 000003
【図２】
0003145750.tif 000004
【図３】
0003145750.tif 000005
【図４】
0003145750.tif 000006
【図５】
0003145750.tif 000007
(57)【要約】      （修正有）【課題】文字を表記してその文字を表題または、ヒントに文章を書けるようにした原稿用紙、ノートあるいは本などの紙面構造を提供する。【解決手段】原稿用紙１あるいはノート、本などに文章や表題のヒントになる文字（１字から複数字）２を表記する。表記の文字にヒントを得て各種テーマを思いつき、容易に文章を書き始められるように該原稿用紙などの各ページに異なった文字を記載する。【選択図】図１
0003145745.tif 000002
【実用新案登録請求の範囲】
【請求項１】
文字を表記してその文字を表題又は、ヒントに文章を簡単に書けるようにしたもの。
【考案の詳細な説明】
【技術分野】
【０００１】  この考案は、文章を書く時に原稿用紙・ノート・本などにヒントとなる文字を表記する。
【背景技術】
【０００２】  従来の原稿用紙・ノート・本などには罫線やマス目などが印刷されて文字をそろえて書くことは出来るが、文章の内容を考えるヒントは無かった。
【考案の開示】
【考案が解決しようとする課題】
【０００３】従来の原稿用紙・ノート・本などの紙面に文字を表記することにより、それをヒントに文章が簡単に書ける。
【課題を解決するための手段】
【０００４】文章を書く用紙に文章のヒントとなる文字を表記する。
各頁にヒントなる違う文字が表記されているため、文字を選んで書きやすいテーマで簡単に文章を書くことが出来る。
【考案の効果】
【０００５】何をテーマに文章を書くかが表記された文字により明確になる。
よって、文章が簡単に書ける。しかもテーマが選べる。
【考案を実施するための最良の形態】
【０００６】従来の原稿用紙・ノート・本などに文字（１字から複数字）を表記する。
【実施例】
【０００７】  文章を書く本・ノートや原稿用紙にテーマとなる文字を印刷する。
【図面の簡単な説明】
【０００８】
【図１】この考案の一実施形態を示す平面図である。
【図２】この考案の一実施形態を示す図である。
【図３】この考案の一実施形態を示す図である。
【符号の説明】
【０００９】１  基本的な構成全体図。
２  テーマ、ヒントとなる文字。
３  テーマにそって文章を書く部分。
４  本にした場合に１〜２ページに一つのテーマ、ヒント。
５  便箋にした場合に１ページに一つのテーマ、ヒント。
【図１】
0003145745.tif 000003
【図２】
0003145745.tif 000004
【図３】
0003145745.tif 000005
【手続補正書】
【提出日】平成20年7月23日(2008.7.23)
【手続補正１】
【補正対象書類名】実用新案登録請求の範囲
【補正対象項目名】全文
【補正方法】変更
【補正の内容】
【実用新案登録請求の範囲】
【請求項１】
文字を表記してその文字を表題又は、ヒントに文章を簡単に書けるようにした原稿用紙・ノート・本などの紙面。
(57)【要約】      （修正有）【課題】飲料自動販売機の商品見本にＰＯＰを装着する際の労働負担を軽減し、さらにＰＯＰとしての効果を高めた簡易ロック式飲料商品見本用ＰＯＰを提供する。【解決手段】トムソン型で抜き加工を施した、ＰＯＰの広告掲載部分の両端に商品見本への固定用のスペースを設ける。その部分は同様にトムソン加工で切り込みを施し、この切り込みを押し出し、飲料自販機の商品見本端に挟むことで切り込み部分と残りの部分で飲料自販機の商品見本を表裏から同時に固定することを可能とする。【選択図】図１
0003145741.tif 000002
【実用新案登録請求の範囲】
【請求項１】
飲料商品見本への取り付けを容易にし、かつ脱落を防止するロック構造を持つフィルムシート材料にオフセット印刷を用いて絵や文字、写真などを印刷した簡易ロック式飲料商品見本用ＰＯＰ
【請求項２】
あらかじめ飲料自販機の商品見本に装着しても脱落することなく、自販機における商品見本入れ替えの作業を向上させる効果を持つ、フィルムシート材料にオフセット印刷を用いて絵や文字、写真などを印刷した請求項１に記載の簡易ロック式飲料商品見本用ＰＯＰ
【考案の詳細な説明】
【技術分野】
【０００１】  本考案は主として、フイルムシート材料を用い、印刷によって絵や文字、写真などを印刷した簡易ロック式飲料商品見本用ＰＯＰである。
【背景技術】
【０００２】  従来の商品見本用ＰＯＰは商品見本にＰＯＰを固定させるためには、ＰＯＰ自体が複雑なロック構造を備えていたので、取り付け作業が複雑化していた。【０００３】従来の商品見本用ＰＯＰは商品見本にあらかじめ装着した状態で遠隔地へ輸送する場合、ＰＯＰ自体が商品見本から脱落しないように商品見本とＰＯＰ双方を京子に連結させるための複雑なロック構造を付加せねばならず、結果的に製作コストを抑えることが難しかった。
【考案が解決しようとする課題】
【０００４】  従来の飲料自動販売機の商品見本用ＰＯＰは、商品見本とＰＯＰとの接触部分が分離していた、その結果ＰＯＰに無駄なスペースを生じさせ、材料費等のコストに影響を及ぼしていた。本考案は商品見本への固定部分をＰＯＰの形状の一部として作成することで、固定精度の向上と広告機能の両立を図るものである。
【０００５】  少なからずプラスチック製品は廃棄処理の段階で環境に負荷をかけてしまうという課題を持っているが、本考案である簡易ロック式飲料商品見本用ＰＯＰの材料シート素材を再生樹脂材料もしくはトウモロコシ等から製造されるＰＬＡ《ポリ乳酸》を主原料とした生分解性プラスチック材料を使用して作成することで環境負荷の課題を解決することができる。
【課題を解決するための手段】
【０００６】  トムソン型で抜き加工を施した、ＰＯＰの広告掲載部分の両端に商品見本への固定用のスペースを設ける。その部分は同様にトムソン加工で切り込みを施し、この切り込みを押し出し、飲料自販機の商品見本端に挟むことで切り込み部分とと残りの部分で飲料自販機の商品見本を表裏から同時に固定することを可能とする。
【考案実施の形態】
【０００７】  図１は本考案の簡易ロック式飲料商品見本用ＰＯＰ（１）の視図である。図１で簡易ロック式飲料商品見本用ＰＯＰ（１）の広告掲載部分（２）の両端（３ａ）、（３ｂ）はトムソン型による切り込みで広告掲載部分（２）と分離されている。また、それぞれの端に簡易的なフック部（４ａ）、（４ｂ）を持つ。
【０００８】  図２は本考案の簡易ロック式飲料商品見本用ＰＯＰ（１）の斜視図である。図１で簡易ロック式飲料商品見本用ＰＯＰ（１）にトムソン型により施された部分（３ａ）、（３ｂ）を飲料商品見本に引っかけ、簡易的なフック部（４ａ）、（４ｂ）でＰＯＰ自体を固定する。
【図面の簡単な説明】
【０００９】
【図１】簡易ロック式飲料商品見本用ＰＯＰの視図。
【図２】図１の簡易ロック式飲料商品見本用ＰＯＰの斜視図。
【符号の説明】
【００１０】１  簡易ロック式飲料商品見本用ＰＯＰ
２  広告等掲載部分
３ａ  折り返し
３ｂ  折り返し
４ａ  フック部
４ｂ  フック部
【図１】
0003145741.tif 000003
【図２】
0003145741.tif 000004
【手続補正書】
【提出日】平成20年7月23日(2008.7.23)
【手続補正１】
【補正対象書類名】実用新案登録請求の範囲
【補正対象項目名】全文
【補正方法】変更
【補正の内容】
【実用新案登録請求の範囲】
【請求項１】
ＰＯＰの広告掲載部分の両端に商品見本への固定用のスペースを設け、その部分にトムソン加工で切り込みを施し、この切り込みを押し出し、飲料自販機の商品見本の端に挟むことで切り込み部分と残りの部分で飲料自販機の商品見本を表裏から同時に固定することで、飲料商品見本への取り付けを容易にし、かつ脱落を防止するロック構造を持つフィルムシート材料にオフセット印刷を用いて絵や文字、写真などを印刷した簡易ロック式飲料商品見本用ＰＯＰ
【請求項２】
ＰＯＰの広告掲載部分の両端に商品見本への固定用のスペースを設け、その部分にトムソン加工で切り込みを施し、この切り込みを押し出し、飲料自販機の商品見本の端に挟むことで切り込み部分と残りの部分で飲料自販機の商品見本を表裏から同時に固定することで、あらかじめ飲料自販機の商品見本に装着しても脱落することなく、そのことが自販機における商品見本入れ替えの作業を向上させる効果を持つ、フィルムシート材料にオフセット印刷を用いて絵や文字、写真などを印刷した請求項１に記載の簡易ロック式飲料商品見本用ＰＯＰ
(57)【要約】      （修正有）【課題】熟練の技術を必要としないで簡単に均一な切断が行える補助器具を提供する。【解決手段】支持台の底板１の左右に直角に立ち上がった側板２があり、側板には軸受けとなる孔３と孔３を中心とした円弧上に中の軸を円弧状に動かすことができる溝孔４が設けてある。孔３と溝孔４は支持台の左右の側板に向かい合う位置に設けられており、その間に案内板５が挟み込まれる。案内板５には側板２の孔３を通して、回転軸８が取り付けられるようになっており、案内板５はこの回転軸８を中心に側板２に設けられた溝孔４の長さだけ回転できるようになっている。また、案内板５には側板２の溝孔４を通して、ねじ留めできる固定用つまみ７が取り付けられる。固定用つまみ７を緩めて成型品に対して切断したい角度に案内板５を動かして、固定用つまみ７を締めることにより、案内板５は最適な切断角を維持できる。【選択図】図１
0003145742.tif 000002
【実用新案登録請求の範囲】
【請求項１】
対象物の端面をカットする角度を自由に設定することが可能で、カッターナイフの刃を刃の厚さに空けられている溝に差し込み、溝に沿って横に滑らせる事により、底板下に固定した対象物の端面を、予め設定してある角度で、切除面が均一に平らになるようにカットすることを目的としたカッターナイフガイド。
【考案の詳細な説明】
【技術分野】
【０００１】      本考案はカッターナイフ等で切ることができる肉厚な軟質樹脂や紙等の板状成型品（以下成型品という）の端面を切断し、重ね合わせたり、接合させる処理を行う時に、切断面が平らになるように、端面を設定した角度で均一に切断するためのものであり、熟練の技術を必要としないで簡単に均一な切断が行える補助器具として使用するものである。
【背景技術】
【０００２】      建築現場や内装工事現場で成型品や肉厚の壁紙等を床や壁に貼る工事が頻繁に行われているが、床や壁の面積が成型品と一致する事は少ない。そのため、成型品を壁や床の形に合わせて切断する必要が出てくる。成型品は肉厚があり、接合する際に必ずしも端面を垂直に切断すれば良いとは限られず、斜めに切断する必要も出てくる。このような時、作業者は定規や板等で方向が狂わないようにはするが、切断する角度は目分量で決め、カッターナイフの角度が狂わないように手で支持して作業を行っている。しかし、よほど熟練しなければ角度を保ったまま真っ直ぐに切断することは難しく、現場では簡単に作業が行える道具を要望していた。
【考案の開示】
【考案が解決しようとする課題】
【０００３】      カッターナイフを定規や板で支持して角度を定め、成型品の端面を斜めに切断すると、どうしてもカッターナイフの刃がぶれてしまい、切断面に凹凸ができてしまったり、切断角が定まらない。正確に行うには熟練を要する。これを熟練者でなくても簡単に行えるようにしたい。
【課題を解決するための手段】
【０００４】      ２枚の側板とその間にカッターナイフの刃が挿入できる間隔を作るために両端に入れたスペーサーでできた案内板と、切断面に対して案内板の角度を自由に調整できる機能を設けた案内板支持台を組み合わせて使用する事により、問題を解決することが可能となった。
【考案の効果】
【０００５】      本考案の案内板に設けられた溝孔にカッターナイフの刃を挿入して、成型品を切断すると、対象物の反発力でカッターナイフの刃がぶれようとしても、両側の案内板がぶれを押さえつけるため、直線的に切断でき、かつ切断面は平らになった。
案内板支持台に設けた角度調整機能で案内板の角度を成型品に対して自由に調整できるので、成型品の端面の斜め切断処理や、斜面重ね合わせ等の処理も熟練工と同等の作業が誰にでも簡単に行えるようになった。
【考案を実施するための最良の形態】
【実施例】
【０００６】      本考案は、図１、図２を用いて説明する。図１は本考案の全体構成図、図２は案内板の回転軸と固定用つまみである。図１の支持台の底板１の左右に直角に立ち上がった側板２があり、側板には軸受けとなる孔３と孔３を中心とした円弧上に中の軸を円弧状に動かすことができる溝孔４が設けてある。孔３と溝孔４は支持台の左右の側板に向かい合う位置に設けられており、その間に案内板５が挟み込まれる。案内板５には側板２の孔３を通して、回転軸８が取り付けられるようになっており、案内板５はこの回転軸８を中心に側板２に設けられた溝孔４の長さだけ回転できるようになっている。また、案内板５には側板２の溝孔４を通して、ねじ留めできる固定用つまみ７が取り付けられる。固定用つまみ７を緩めて成型品に対して切断したい角度に案内板５を動かして、固定用つまみ７を締めることにより、案内板５は最適な切断角を維持できる。溝孔に角度を示す目盛りを刻むことでより正確な角度を設定することができる。【０００７】      案内板５にはカッターナイフの刃が一枚ぴったり入り、カッターナイフの刃を水平方向に動かすことができる案内溝孔６が設けられている。成型品を切断する時は、角度を決めて固定された案内板５の案内溝孔６の片端にカッターナイフの刃が成型品を貫くように差し込んで、もう一端の方へカッターナイフを動かすと、カッターナイフの刃がぶれることなく成型品は設定された角度に切断される。
【産業上の利用可能性】
【０００８】      本考案のカッターナイフガイドは操作が簡単であり、携帯用となっているので、どのような工事現場でも容易に利用することができる。また、熟練を必要としないで作業時間を短縮できる上、仕上がり状態も満足できるものとなった。将来に亘って工事現場における成型品の切断作業は行われるものであり、そこにおいて本考案の至便性は必ず必要とされる。
【図面の簡単な説明】
【０００９】
【図１】  本考案の全体図である。
【図２】  本考案で使用する回転軸と固定つまみである。
【符号の説明】
【００１０】  １  支持台の底板
２  支持台の側板
３  軸受け用孔
４  スライド用溝孔
５  案内板
６  案内溝孔
７  固定つまみ
８  回転軸
【図１】
0003145742.tif 000003
【図２】
0003145742.tif 000004
【手続補正書】
【提出日】平成20年7月22日(2008.7.22)
【手続補正１】
【補正対象書類名】実用新案登録請求の範囲
【補正対象項目名】全文
【補正方法】変更
【補正の内容】
【実用新案登録請求の範囲】
【請求項１】
底板から直角に立ち上がり、軸受け孔と円弧状の溝孔をあけた側板を左右両側に設けた支持台と、カッターナイフの刃１枚分の幅の案内溝孔があけてある案内板が、案内板の両サイドに設けられた回転軸と支持台の側板に設けられた軸受けとで連結されており、側板の軸受けを中心に案内板は円弧状の溝孔の長さだけ回転できるようになっている。また、案内板と側板は任意の角度で固定できるように、円弧状の溝孔を通して側板の外側から固定用つまみで締め付けるような構造を持つことを特長とするカッターナイフガイド。
(57)【要約】      （修正有）【課題】ソフトルアーを簡単に固定でき、正確な装着が可能であって、特にダート、ワインド、ジャーク等の釣法に有効な道具を提供する。【解決手段】釣針・ジグヘッドにソフトルアーを容易に装着する道具であって、ソフトルアーを両側から挟んで均一加圧で固定できる形状を持つ道具Ａと、その道具Ａを差し込み固定した部材とジグヘッドなどを固定できる部材からなりこれら部材を必要分スライドさせる補助具Ｂとにより構成され、より正確にジグヘッドなどを貫通させる。【選択図】図４
0003145743.tif 000002
【実用新案登録請求の範囲】
【請求項１】
釣針・ジグヘッド等にソフトルアーを容易に装着する道具であること。
図１のような形状をした道具Ａと補助具Ｂを用いてソフトルアーに針を通すことによって、より早く正確にジグヘッド等を貫通させることを目的とする。
【請求項２】
ソフトルアーを均一に加圧固定させて装着させるということ
ジグヘッド等にソフトルアーを装着させる場合、通常の手作業では柔らかい素材ゆえ、正確に装着させることは難しい。
この道具Ａは、ソフトルアーを両サイドから均一に加圧し固定させることで容易にジグヘッド等に装着することを目的とする。
【請求項３】
道具Ａは柔軟性を持った材質（材質：ビニール、ゴム、プラスティック等）を利用しソフトルアーを容易に固定・装着させることが可能なその形状を持ったものであること。
その特製を生かすために材質は適度な柔軟性のあるものを用いる。
又、装着させる上で、スムースに貫通できるように独特の形状をもたせた道具である。
【請求項４】
道具Ａの作業を効率よく行うために補助具Ｂを使用する。
補助具Ｂは中央でスライドする機能を持つ。道具Ａを固定でき、反対側にジグヘッドを固定できる。刺す位置を決めて必要分をスライドさせることで装着を容易にする道具である。
【請求項５】
道具Ａと補助具Ｂの機能を一体化した物を道具Ｃとする。
【考案の詳細な説明】
【考案が解決しようとする課題】
一般的にソフトルアーを釣り針・ジグヘッド等に装着する際は、手作業のみで行なわれ、道具を使用することは無かった。
しかしその場合、指先によって不均一に加圧された状態のソフトルアーに針を貫通させるため、真直ぐ正確に貫通させることが難しい。
また、感や経験にたよる所が多く、幾度も刺し直し、ソフトルアーにダメージを与えてしまいルアーロスにつながった。
【課題を解決するための手段】
▲１▼  図１の道具Ａを使用することによってソフトルアーにジグヘッド等を装着させる際、均一に加圧した状態で固定することが可能となる。
その状態で貫通させれば正確にジグヘッド等に装着することが出来る。
▲２▼  さらに、道具Ａの上下部の切れ込みは、針がルアーを貫通してく途中、ベント部分にかかったとき、深く抵抗なく差し込める用に、ソフトルアーを逃がすことができる形状にした。
▲３▼  装着する際、補助具Ｂを利用することで、正確な作業を容易に行うことが出来る。
【考案の効果】
この道具Ａ・補助具Ｂを使用することにより次のような効果を上げることが出来る。
▲１▼  より早く・正確に針（ジグヘッド等）を貫通させることが可能。
▲２▼  両サイドより均一な加圧で抑えられるので、ソフトルアーでも真っ直ぐに固定でき、正確な装着が可能。
▲３▼  刺し直し等、失敗によるルアーロスを減少できる。
▲４▼  実釣では、リーリング時の泳ぎが、安定する。
▲５▼  特にロッドワークを利用したダート、ワインド、ジャーク等による釣法に利用した場合、極めて高い能力を発揮させることが可能。スピードのある鋭いアクションが演出でき、釣果の向上が期待できる。
【図面の簡単な説明】
【図１】本考案の道具Ａの斜視図である。
【図２】本考案の道具Ａの平面図である。
【図３】本考案の道具Ａの側面図である。
【図４】本考案の実施例を示す図面である。道具Ａでソフトルアーを挟んで補助具Ｂを用いジグヘッドを差し込む場面の図
【図５】本考案の実施例を示す図面その２である  ジグヘッドをスライドさせ目印まで差込み、ポイントを外に出した場面の図
【符号の説明】
▲１▼  本考案の道具Ａ
▲２▼  ジグヘッド
▲３▼  ソフトルアー
▲４▼  本考案の道具Ａに表示されたスケール・目印等
▲５▼  本考案の補助具Ｂ。中央がスライドする機構を持つ。
【図１】
0003145743.tif 000003
【図２】
0003145743.tif 000004
【図３】
0003145743.tif 000005
【図４】
0003145743.tif 000006
【図５】
0003145743.tif 000007
【手続補正書】
【提出日】平成20年7月23日(2008.7.23)
【手続補正１】
【補正対象書類名】実用新案登録請求の範囲
【補正対象項目名】全文
【補正方法】変更
【補正の内容】
【実用新案登録請求の範囲】
【請求項１】
釣針・ジグヘッドにソフトルアーを容易に装着する道具であって、ソフトルアーを両側から挟んで均一加圧で固定できる形状を持つ道具（Ａ）と、その道具（Ａ）を差し込み固定した部材とジグヘッドなどを固定できる部材からなりこれら部材を必要分スライドさせる補助具（Ｂ）とにより構成され、より正確にジグヘッドなどを貫通させることを目的とする道具。
【請求項２】
道具（Ａ）がプラスティック、ビニール、硬質ゴム等の適度な柔軟性を持った素材からなることを特徴とする請求項１記載の道具。
(57)【要約】      （修正有）【課題】大切な財布を衣服などのポケットに入れて持ち歩き、落としたのか抜き取られたのかわからないうちに財布がなくなっている場合がある。このような不愉快な思いをする不都合を簡単な方法で解決することができる財布及びポケットの構造を提供する。【解決手段】財布１の外面の表面側と裏面側の片方又は両方に、装飾を兼ねるようデザインされた面ファスナー２を縫製又は両面テープや接着剤などを用いて付着して、ポケット側３に設けられた面ファスナー４と接合することを特徴とする。これによって財布の飛び出しや抜き取りなどを防止し、財布等の紛失全般を防止することができる。【選択図】図４
0003145794.tif 000002
【実用新案登録請求の範囲】
【請求項１】
財布外面の片面又は両面に、面ファスナーで形成された図形又は模様又は具象形を取り付けたことを特徴とする紛失防止財布。
【請求項２】
衣服のポケット入り口の上部内面に対向して、面ファスナーが装着されており、請求項１に記載した財布を収納した際に、財布に装着された面ファスナーとポケットに装着された面ファスナーが接合して財布の紛失を防止することを特徴とする紛失防止財布と紛失防止ポケットの組み合わせ。
【請求項３】
請求項２に記載した衣服のポケットにおいて、ポケット内面に対向して装着した面ファスナー同士が、接合可能であることを特徴とする紛失防止財布と紛失防止ポケットの組み合わせ。
【考案の詳細な説明】
【技術分野】
【０００１】
本考案は、大切なお金を入れて持ち歩く財布と、財布を入れる衣服全般のポケットに関するものである。
【背景技術】
【０００２】
従来から、衣服のポケットに財布を入れて雨蓋で覆い、その上にボタン等で留めたものや、チャックなどで留めるものがある。
また、特許文献１では、財布に付けた掛止環とポケット部をボタン止めして紛失防止を図ることが提案されている。
【特許文献１】特開２０００−１３６４１３
【考案の開示】
【考案が解決しようとする課題】
【０００３】
しかし、従来のようなポケットに財布を入れてボタンで留めたり、チャックなどで留めることは、留めにくく不便である。
また、ポケットに収まりきらない長めの財布に対しては上記留め手段を使うことができない。
特許文献１の方法では、例えばズボンのポケットに適用した際には、ボタンと掛止環の位置を合わせにくいという問題がある。
本考案は、上記のような問題点を解決し、使いやすく、しかも財布の紛失防止効果の高い方法を提供することにある。
【課題を解決するための手段】
【０００４】
この課題を解決するため、本考案では財布外面の表面側と裏面側の片方又は両方に、装飾を兼ねるようデザインされた面ファスナーを縫製又は両面テープや接着剤などを用いて付着して、ポケット側に設けられた面ファスナーと接合することを特徴とする。これによって財布の飛び出しや抜き取りなどを防止し、財布等の紛失全般を防止することができる。
【０００５】
ポケット側に装着する面ファスナーには、財布側に装着した面ファスナーと接合する性質の面ファスナーを取り付ける必要があるが、ポケット側に、オス、メス兼用の面ファスナーを採用することにより、ポケットに装着した面ファスナー同士が接合できるようにした。
【考案の効果】
【０００６】
本考案により財布がポケットから飛び出したりすることを防ぎ、また、知らないうちに抜き取られそうになっても、面ファスナーの接合により財布にはかなりの抵抗があるので、所有者がすぐに気づくので抜き取ることはできない。このように、犯罪に繋がりかねない事態を防止することができる。
尚、財布に装着する面ファスナーは、装飾を兼ねるように形状・大きさ・色をデザインすることにより、単調になりがちな財布の外観を変化に富んだものにできる。
【０００７】
特にポケットが後にあるズボン等では、ポケットから財布がはみ出しやすく、落としたり抜き取られたりしやすいが、本考案による紛失防止財布により効果が最大限に発揮される。
又、衣服の上着の胸の内ポケットに財布を入れたときなどにも、飛び出しや、抜き取りなどもなく紛失防止に役立ち、携帯電話や定期券入れや小銭入れなどにも共通して、利用することができる。
【０００８】
請求項３の考案によれば、財布を入れないとき又は財布が小さくて財布に装着した面ファスナーとポケット上部に設けた面ファスナーが接合しないときでも、ポケットの口を塞ぐので、ポケットに入れた物の紛失を防止することができる。
【考案を実施するための最良の形態】
【０００９】
図１は、ズボンの後ろポケットに財布を入れて椅子に腰掛けている際の全体図である。このような状況では財布を簡単に抜き取ることができるし、落下などによって財布を紛失する可能性が高い。本考案はこのような状況でも財布の紛失を防止することにある。
【００１０】
図２は、２〜３色の面ファスナー２をデザインされた形に飾り切りして財布１の表面に装着した状態の本考案による紛失防止財布の正面図である。
この例では、金運が良くなるとされる蛇と金貨をあしらったデザインの例である。
【００１１】
図３は、面ファスナー２を装着した財布１を、内面に面ファスナー４を縫い付けてあるポケット３の内部に収納した状態を示している。同図が示すように、ポケット３に入れた財布１が、ポケット内部で財布に装着した面ファスナー２とポケット内面に縫い付けた面ファスナー４とが６の部分で重なり互いに接合することにより財布１がポケット３内に保持される。
【００１２】
図４は、ズボンのポケット３の内部で財布１の面ファスナー２とポケット内部の面ファスナー４が接合している状態を示した断面図である。同図が示すように面ファスナーの接合により、財布の飛び出しや抜き取りが防止できる。
【００１３】
図５は、図４の状態に対して、ポケットに財布を収納していない状態の断面図である。
ポケット３の内面上部にオス・メス兼用（即ちフック部とループ部が混在している）の面ファスナー４を装着することにより、面ファスナー４同士が接合できるので、ポケットに財布を入れないとき又は財布が小さくてポケット上部に設けた面ファスナーに接合しないときでも、ポケットの口を塞ぐので、ポケットに入れた物の紛失を防止することができる。
【図面の簡単な説明】
【００１４】
【図１】ズボンの後ろポケットに財布を入れて椅子に腰掛けている状態の説明図である
【図２】財布に飾り切りにして美装した面ファスナーが装着された財布の正面図である
【図３】財布に飾り切りをした面ファスナーが装着され、ポケットに面ファスナーが縫い付けられて、ポケット内部で双方の面ファスナーが接合している状態の正面図である
【図４】ズボンのポケット内部で財布の面ファスナーとポケットの面ファスナーが接合している状態の断面図である
【図５】ズボンのポケット上部内面に装着された面ファスナー同士が接合している状態の断面図である。
【符号の説明】
【００１５】
１  財布
２  財布に装着された面ファスナー
３  ポケット
４  ポケットに縫い付けられた面ファスナー
５  衣服の生地
６  財布に装着された面ファスナーとポケットに縫い付けられた面ファスナーの接合部分
【図１】
0003145794.tif 000003
【図２】
0003145794.tif 000004
【図３】
0003145794.tif 000005
【図４】
0003145794.tif 000006
【図５】
0003145794.tif 000007
(57)【要約】      （修正有）【課題】発生するガスや、薬液の飛散による、人体及び環境への悪影響の解消と、取扱い容易で寿命が長く、ランニングコストを下げるメタルを提供する。【解決手段】ガスの発生及び薬液の飛散する恐れが無く、台所や浴室・浴槽、洗面所の排水口の中、水洗トイレの水タンクの中及び鑑賞魚の水槽等に入れて使用し、該メタルから溶出する金属イオンの電位差を利用して、排水中の微生物を吸着し、除菌・抗菌を行ない、ヌメリ・臭いを防止するとともに、排水中の異物がメタルに付着することによって起こる、接触面積の低下防止とメタルの出し入れを容易にする為に、円形の板に穴を開け、鞍形に湾曲させたことを特徴とする。【選択図】図３
0003145423.tif 000002
【実用新案登録請求の範囲】
【請求項１】
本考案のメタルは、銅、亜鉛、錫、を含んだ銅合金からなり、ガスの発生及び薬液の飛
散する恐れが無く、台所や浴室・浴槽、洗面所の排水口の中、水洗トイレの水タンク及び
鑑賞魚の水槽等に入れて使用し、該メタルから溶出する金属イオンの電位差を利用して、
排水中の微生物を吸着し、除菌・抗菌を行ない、ヌメリ・臭いを防止するとともに、排水
中の異物がメタルに付着することによって起こる、接触面積の低下防止とメタルの出し入
れを容易にする為に、円形の板に穴を開け、鞍形に湾曲させたことを特徴とするメタル。
１
【考案の詳細な説明】
【技術分野】
【０００１】
ヌメリ・臭い防止に関するものである。
【背景技術】
【０００２】
ヌメリ、臭い防止用品の多くは、使用する際に発生するガスや薬液の飛散により、人体
や環境への悪影響が懸念されるとともに、且つ、寿命が短くランニングコストが高い。
【考案の開示】
【考案が解決しようとする課題】
【０００３】
発生するガスや薬液の飛散による、人体及び環境への悪影響が無く、取扱い容易で寿命
が長く、ランニングコストを下げる。
【課題を解決するための手段】
【０００４】
本考案のメタルは、ガスの発生及び薬液の飛散する恐れが無く、台所や浴室・浴槽、洗面所の排水口の中、水洗トイレの水タンク及び鑑賞魚の水槽等に入れて使用し、該メタルから溶出する金属イオンの電位差を利用して、排水中の微生物を吸着し、除菌・抗菌を行ない、ヌメリ・臭いを防止するとともに、排水中の異物がメタルに付着することによって起こる、接触面積の低下防止とメタルの出し入れを容易にする為に、円形の板に穴を開け、鞍形に湾曲させたことを特徴とするメタル。
【考案の効果】
【０００５】
ガスの発生及び人体や環境への悪影響が無く、排水中の微生物を吸着する事によって除菌及び抗菌し、ヌメリ・臭いを防止するとともに、排水中の異物がメタルに付着することによって起こる、接触面積の低下防止と長期間の使用が可能で、コストダウンに寄与する。
【考案を実施するための最良の形態】
【０００６】
排水中の異物が付着することによって起こる、接触面積の低下防止とメタルの出し入れ
を容易にする為に、図−１、図−２、図−３に示す通り、円形の板に穴を開け、鞍形に湾
曲させたことを特徴とするメタル。
【図面の簡単な説明】
【０００７】
【図１】平面図で、大きさは直径１５〜３５ｍｍ、厚さは０．８〜２．０ｍｍの板に、穴を開けている。
【図２】側面図。
【図３】斜視図。
【図１】
0003145423.tif 000003
【図２】
0003145423.tif 000004
【図３】
0003145423.tif 000005
(57)【要約】      （修正有）【課題】水と反応するために水分との接触を絶つ必要が有る塗料を充填、保存および送出する目的の塗料容器において、送出に際し外気による水分との接触を遮断することができる構造を有する塗料容器を提供する。【解決手段】１つの容器口と、この容器口２に、開閉バルブ４を経て連結した容器底面に到る配管５を有する管継手３を嵌挿してなる密閉した容器に塗料を保管し、塗料送出に際しては前記管継手に嵌脱可能な構造を有するカプラー６を連結し、前記管継手に内在する開閉バルブはカプラー装着によって通流供給（バルブ開弁）状態になり、カプラーに設けられた加圧気体導入管８を通じ導入された気体により加圧された容器から、内容物たる塗料を空気中の水分に接触させることなしに送液させ塗装に供することを可能とする。【選択図】図１
0003145412.tif 000002
【実用新案登録請求の範囲】
【請求項１】
１つの容器口と、この容器口に、開閉バルブを経て連結した容器底面に到る配管を有する管継手を嵌挿してなる密閉した容器に塗料を保管し、塗料送出に際しては前記管継手に嵌脱可能な構造を有するカプラーを連結し、前記管継手に内在する開閉バルブはカプラー装着によって通流供給（バルブ開弁）状態になり、カプラーに設けられた加圧気体導入管を通じ導入された気体により加圧された容器から、内容物たる塗料を空気中の水分に接触させることなしに送液させ塗装に供することが可能であることを特長とする塗料用容器および送液器具。
【考案の詳細な説明】
【技術分野】
【０００１】
本考案は、水と反応するために水分との接触を禁忌する必要がある各種塗料を充填、保管および送液するために用いられる容器および送液器具に関する。
【背景技術】
【０００２】
２液型塗料用硬化剤、たとえばイソシアネート化合物を主成分とするポリウレタン塗料用硬化剤等は水との反応性が高く、それ故空気中の水分との接触を遮断する必要が有る。塗装に際し、当該塗料を容器から送出する場合、容器を一旦開封し、塗装設備に兼備されたタンクに移送することがしばしば行われるが移送作業に際し空気中の水分と塗料が接触することが避けられない。また、塗料容器自体から直接移送ポンプを経て塗装装置に送液する方法も提案されているが、この場合も、送液用継手を容器に装着する際一旦容器を開封することは同様であって水分との完全なる遮断はできない。（特許文献１）
【特許文献１】特開２００４−３５８４６１号公報
【考案の開示】
【考案が解決しようとする課題】
【０００３】
水分との反応性を有する塗料を前記空気中の水分と接触しうる容器形態にて使用した場合、塗料は水分との異常反応を起こし、所望の塗装結果を得ることができない。また、容器およびまたは塗装機の内部で塗料が固化する等多くの問題が発生する。従って、本考案の主たる課題は、容器から塗料を塗装機に送液するに際し、容器を開封することなしに連結継手を嵌挿し、以て空気中の水分との接触を完全に遮断して送液する方法を提案するものである。
【課題を解決するための手段】
【０００４】
上記課題は、容器口に、開閉バルブを経て連結した容器底面に到る配管を有する管継手を嵌挿してなる密閉した容器に塗料を保管し、塗料送出に際しては前記管継手に嵌脱可能な構造を有するカプラーを連結し、前記管継手に内在する開閉バルブがカプラー嵌着により通流供給（バルブ開弁）状態になるよう構成されたカプラーを、送液器具として容器と共に用いることにより解決できる。
【考案の効果】
【０００５】
以上の通り、本考案によれば、水分との接触を避け、容器から塗料を塗装機に送液することができ、水分との反応性が高い塗料の塗装が問題なく行われる。
【考案を実施するための最良の形態】
【０００６】
本考案においては、カプラーを嵌着すると同時に、カプラーの有底内筒が継手バルブを押し下げ、以てバルブは通流遮断（バルブ閉弁）から通流供給（バルブ開弁）に転じ送液可能状態になる。カプラーは先ず継手に嵌着され、密嵌状態が形成された後、継手内バルブは通流遮断から通流供給に転じるため、内容物たる塗料は空気中の水分と接触することは無い。
【実施例】
【０００７】
以下、本考案を図面を参照しながら詳説する。塗料容器は容器口に密嵌可能な、送液用配管を連結した管継手と、管継手に嵌挿するカプラーの２種の部品から構成される。図１において、容器（１）は１つの容器口（２）を有し、劾容器口には継手（３）が密嵌される。継手内筒にはバルブ（４）が装備され、容器に嵌挿した状態でバルブは通流遮断の位置にある。また、継手には容器底面に達する送液用配管（５）が連結される。
【０００８】
送液時においては、継手にカプラー（６）を密嵌し、続いてハンドル（７）を押し下げることによりカプラー内筒が継手のバルブを押し下げてバルブは通流供給に状態に転ずる。
【０００９】
次いで、加圧気体導入回路（８）を通じ圧縮気体を容器に導入して、容器を加圧することにより、塗料は送液が開始される。圧縮気体としては、乾燥チッ素ガスが推奨される。
【図面の簡単な説明】
【００１０】
【図１】本考案の塗料容器および送液器具の一実施例を示す正面図である。
【符号の説明】
【００１１】
１  容器
２  容器口
３  継手
４  バルブ
５  送液用配管
６  カプラー
７  ハンドル
８  加圧気体導入回路
【図１】
0003145412.tif 000003